(57)【要約】      （修正有）【課題】天井躯体の取付面の傾斜角度に影響されることなく、該天井躯体の取付面に容易に取り付けることができる野縁受け懸架金具を提供する。【解決手段】天井躯体の取付面に直接に又は取付金具を介して野縁受け懸架金具３が取り付けられる。該懸架金具３は、天井躯体の取付面又は前記取付金具に取り付けられる固定金具４と、該固定金具４に枢着軸５によってカシメ止めされ、外力を負荷することによってカシメ止め作用に抗して該枢着軸５を中心に該枢着軸５に直交して垂下する垂直位置ａと該垂直位置ａに対して該垂直面内を左右に揺動変位する左右揺動位置ｂ，ｃとに揺動変位し、該野縁受け懸架金具３に野縁受け懸架用の吊りボルトが取り付けられる。【選択図】図１
0003211064.tif 000002
【実用新案登録請求の範囲】
【請求項１】
天井躯体の取付面に直接に又は取付金具を介して野縁受け懸架金具が取り付けられ、該懸架金具は、天井躯体の取付面又は前記取付金具に取り付けられる固定金具と、該固定金具に枢着軸によってカシメ止めされ、外力を負荷することによってカシメ止め作用に抗して該枢着軸を中心に該枢着軸に直交して垂下する垂直位置と該垂直位置に対して該垂直面内を左右に揺動変位する左右揺動位置とに揺動変位するが、カシメ止め作用に抗する外力を負荷しないかぎり、その垂直位置、又は左右揺動変位位置から変位移動することのない可動金具と、からなり、該可動金具に野縁受け懸架用の吊りボルトがねじ止めされてなる野縁受け懸架装置。
【請求項２】
前記天井躯体は、コンクリートスラブ製天井躯体、金属製天井躯体、或いは木製天井躯体からなる請求項１に記載の野縁受け懸架装置。
【請求項３】
前記野縁受け懸架金具の固定金具は、前記天井躯体の取付面又は前記取付金具に当接してこれにねじ止めによって取り付けられる当接片とこれに直角に下向きＬ字状に折曲した重合片とからなり、前記野縁受け懸架金具の可動金具は、前記固定金具の重合片に重合される被重合片と、被重合片の下端部から前記固定金具の当接片とは反対向きにＬ字状に折曲した吊りボルトねじ止め用のねじ止め片とからなり、前記固定金具の重合片と、これに重合される前記可動金具の被重合片とは両者を貫通する枢着軸によってカシメ止めされるが、外力を負荷することによってカシメ止め作用に抗して該枢着軸を中心に可動金具が揺動可能な程度にカシメ止めされてなる請求項１又は２に記載の野縁受け懸架装置。
【請求項４】
前記野縁受け懸架金具の固定金具は、前記天井躯体の取付面又は前記取付金具に当接してこれにねじ止めによって取り付けられる当接片とこれに直角に下向きＬ字状に折曲した重合片とからなり、前記野縁受け懸架金具の可動金具は、前記固定金具の重合片に重合される被重合片と、被重合片の下端部から前記固定金具の当接片と同じ向きにＬ字状に折曲した吊りボルトねじ止め用のねじ止め片とからなり、前記固定金具の重合片と、これに重合される前記可動金具の被重合片とは両者を貫通する枢着軸によってカシメ止めされるが、外力を負荷することによってカシメ止め作用に抗して該枢着軸を中心に可動金具が揺動可能な程度にカシメ止めされてなる請求項１又は２に記載の野縁受け懸架装置。
【請求項５】
前記野縁受け懸架用の吊りボルトは、その下端部が振れ止め用筋交いに取り付けられる短尺な吊りボルトからなる請求項１〜３の何れかに記載の野縁受け懸架装置。
【請求項６】
前記野縁受け懸架用の吊りボルトは、その下端部が野縁受けに取り付けられる長尺な吊りボルトからなる請求項１〜３の何れかに記載の野縁受け懸架装置。
【請求項７】
天井躯体の取付面に取付金具を介して野縁受け懸架金具が取り付けられる該取付金具は、天井躯体を形成するＨ形鋼からなる鉄骨製屋根骨枠のフランジ部に噛み込みねじ止めされる咬合形取付金具からなり、該咬合形取付金具に野縁受け懸架具がねじ止めされるようになっている請求項１〜６の何れかに記載の野縁受け懸架装置。
【考案の詳細な説明】
【技術分野】
【０００１】
本考案は、屋根材の勾配に合わせて種々の勾配角度に傾斜して配設される天井躯体の取付面の傾斜角度に影響されることなく、該取付面に野縁受けを懸架するための野縁受け懸架装置に関する。
【背景技術】
【０００２】
従来、屋根材の勾配に合わせて種々の勾配角度に傾斜して配設される野縁受け懸架装置はあまり見られないが、例えば、若干技術分野を異にするが、天井材落下防止装置としては、特許第３８１７３４６号に係る従来技術が存在する。この従来技術は、屋根下地や屋根ボード等の屋根材の 勾配に合わせて種々の勾配角度に傾斜して配設される鉄骨製屋根骨枠に直接に取り付けられる板状の第１部材と、天井吊りボルトが取り付けられる板状の第２部材とを重ね合わせて両者をその中心部を軸心として垂直面内を回転自在に枢着し、第１部材に対して第２部材をその中心部を回転中心として回転調整して、該第２部材に天井吊りボルトを垂直に吊持させるようにしている。この従来技術であると、地震の際の衝撃や振動によって第２部材が第１部材に対して回転揺動して第２部材に取り付けられる天井吊りボルトが左右に大きく揺動する危険性があり、天井吊りボルトの揺動によって、これに吊持される天井材が破壊、落下する大きな要因となり、又、第１部材と第２部材を、その回転中心部に枢着するために構造が複雑で製作費が高くつく難点があった。
【考案の概要】
【考案が解決しようとする課題】
【０００３】
本考案は、上記従来技術のように、地震等の外部圧力によって天井材が脱落するのを防止して、天井躯体の取付面の傾斜角度に影響されることなく、該天井躯体に野縁受けを堅固に懸架するための野縁受け懸架装置を提案することを課題とする。
【課題を解決するための手段】
【０００４】
上記課題を解決するための手段を、後述する実施形態の参照符号を付して説明すると、請求項１に係る野縁受け懸架装置は、天井躯体１の取付面１ａに直接に又は取付金具２を介して野縁受け懸架金具３が取り付けられ、該懸架金具３は、天井躯体１の取付面１ａ又は前記取付金具２に取り付けられる固定金具４と、該固定金具４に枢着軸５によってカシメ止めされ、外力を負荷することによってカシメ止め作用に抗して該枢着軸５を中心に該枢着軸５に直交して垂下する垂直位置ａと該垂直位置ａに対して該垂直面内を左右に揺動変位する左右揺動位置ｂ，ｃとに揺動変位するが、カシメ止め作用に抗する外力を負荷しないかぎり、その垂直位置ａ、又は左右揺動位置ｂ，ｃから変位移動することのない可動金具６と、からなり、該可動金具６に野縁受け懸架用の吊りボルト７，７ａがねじ止めされてなる構成からなる。
【０００５】
請求項２に係る野縁受け懸架装置は、前記天井躯体１は、コンクリートスラブ製天井躯体８、金属製天井躯体９、或いは木製天井躯体１０からなる請求項１に記載の構成からなる。
【０００６】
請求項３に係る野縁受け懸架装置は、前記野縁受け懸架金具３の固定金具４は、前記天井躯体１の取付面１ａ又は前記取付金具２に当接してこれにねじ止めによって取り付けられる当接片１１とこれに直角に下向きＬ字状に折曲した重合片１２とからなり、前記野縁受け懸架金具３の可動金具６は、前記固定金具４の重合片１２に重合される被重合片１３と、被重合片１３の下端部から前記固定金具４の当接片１１とは反対向きにＬ字状に折曲した吊りボルト７，７ａねじ止め用のねじ止め片１４とからなり、前記固定金具４の重合片１２と、これに重合される前記可動金具６の被重合片１３とは両者を貫通する枢着軸５によってカシメ止めされるが、外力を負荷することによってカシメ止め作用に抗して該枢着軸５を中心に可動金具６が揺動可能な程度にカシメ止めされてなる請求項１又は２に記載の構成からなる。
【０００７】
請求項４に係る野縁受け懸架装置は、前記野縁受け懸架金具３の固定金具４は、前記天井躯体１の取付面１ａ又は前記取付金具２に当接してこれにねじ止めによって取り付けられる当接片１１とこれに直角に下向きＬ字状に折曲した重合片１２とからなり、前記野縁受け懸架金具３の可動金具６は、前記固定金具４の重合片１２に重合される被重合片１３と、被重合片１３の下端部から前記固定金具４の当接片１１と同じ向きにＬ字状に折曲した吊りボルト７，７ａねじ止め用のねじ止め片１４とからなり、前記固定金具４の重合片１２と、これに重合される前記可動金具６の被重合片１３とは両者を貫通する枢着軸５によってカシメ止めされるが、外力を負荷することによってカシメ止め作用に抗して該枢着軸５を中心に可動金具６が揺動可能な程度にカシメ止めされてなる請求項１又は２に記載の構成からなる。
【０００８】
請求項５に係る野縁受け懸架装置は、前記野縁受け懸架用の吊りボルトは、その下端部が振れ止め用筋交い１７に固着される短尺な吊りボルト７からなる請求項１〜３の何れかに記載の構成からなる。
【０００９】
請求項６に係る野縁受け懸架装置は、前記野縁受け懸架用の吊りボルトは、その下端部が野縁受けＵに固着される長尺な吊りボルト７ａからなる請求項１〜３の何れかに記載の構成からなる。
【００１０】
請求項７に係る野縁受け懸架装置は、天井躯体１の取付面１ａに取付金具２を介して野縁受け懸架金具３が取り付けられる該取付金具２は、天井躯体１を形成するＨ形鋼からなる鉄骨製屋根骨枠１８のフランジ部１８ａに噛み込みねじ止めされる咬合形取付金具２からなり、該咬合形取付金具２に野縁受け懸架金具３がねじ止めされるようになっている請求項１〜６の何れかに記載の構成からなる。
【考案の効果】
【００１１】
請求項１に係る考案によれば、天井躯体１の取付面１ａに直接に又は取付金具２を介して野縁受け懸架金具３が取り付けられ、該懸架金具３は、天井躯体１の取付面１ａ又は前記取付金具２に取り付けられる固定金具４と、該固定金具４に枢着軸５によって該枢着軸５に直交する垂直面内を揺動可能に枢着される可動金具６とからなるが、この際に、可動金具６は、固定金具４に枢着軸５によってカシメ止めされ、カシメ止め作用に抗する外力を負荷することによって該枢着軸５を中心に該枢着軸５に直交して垂下する垂直位置ａと該垂直位置ａに対して該垂直面内を左右に揺動変位する左右揺動位置ｂ，ｃとに揺動変位するが、カシメ止め作用に抗する外力を負荷しないかぎり、その垂直位置ａ、又は左右揺動位置ｂ，ｃから変位移動することがないようになっているため、野縁受け懸架金具３にその可動金具６を介して取り付けられる野縁受け懸架用の吊りボルト７，７ａをその垂直位置ａ、或いは所望の左右揺動位置ｂ，ｃに吊り下げて維持する際に、その可動金具６にカシメ止め作用に抗する外力を負荷しないかぎり、吊りボルト７，７ａを天井躯体１の取付面１ａに動揺することなく維持することができ、その下端部を直接に又は筋交い１７を介して野縁受け３に強固に固着することができる。
【００１２】
又、野縁受け懸架金具３は、天井躯体１の取付面１ａに直接に又は取付金具２を介して取り付けられる固定金具４と該固定金具４に対して枢着軸５によって枢着軸５に直交する垂直面内をその垂直位置ａから左右揺動位置ｂ，ｃに何ら拘束されることなく変位可能であるから、野縁受け懸架金具３がが取り付けられる天井躯体１の取付面１ａが水平状態の場合に限らず、取付面１ａが前後又は左右の何れの方向に傾斜した状態であっても、該取付面１ａの傾斜方向に野縁受け懸架金具３の固定金具４に対して可動金具６をその揺動方向に合わすことによって、３６０°の何れの傾斜状態の取付面１ａに対しても野縁受け懸架金具３を介して野縁受け懸架用の吊りボルト７，７ａを正確に垂直に吊り下げることができる。
【００１３】
請求項２に係る考案によれば、前記天井躯体１は、コンクリートスラブ製天井躯体８（図５）、金属製天井躯体９（図６）、或いは木材製天井躯体１０（図７）からなるため、これらの取付面１ａがどのような材質のものであっても、これに制約されることなく取り付けることができ、その適用範囲が限定されることがなく、極めて実用的である。
【００１４】
請求項３に係る考案によれば、前記野縁受け懸架金具３の固定金具４は、前記天井躯体１の取付面１ａ又は前記取付金具２に当接してこれにねじ止めによって取り付けられる当接片１１とこれに直角に下向きＬ字状に折曲した重合片１２とからなり、前記野縁受け懸架金具３の可動金具６は、前記固定金具４の重合片１２に重合される被重合片１３と、被重合片１３の下端部から前記固定金具４の当接片１１とは反対向きにＬ字状に折曲した吊りボルト７，７ａねじ止め用のねじ止め片１４とからなり、その構成部材が主に断面Ｌ字状の固定金具４と同じく断面Ｌ字状の可動金具６と両者を枢支連結する枢着軸５との３部材からなるに過ぎず、しかも固定金具４と可動金具６とは断面Ｌ字状に曲げ加工によって形成することができるため、極めて安価に製作することができる。
【００１５】
又、本考案によれば、前記固定金具４の重合片１２と、これに重合される前記可動金具６の被重合片１３とは両者を貫通する枢着軸５によってカシメ止めされるが、外力を負荷することによってカシメ止め作用に抗して該枢着軸５を中心に可動金具６が揺動可能な程度にカシメ止めされるようになっているため、外力を可動金具６に負荷しないかぎり、固定金具４に枢着軸５に枢着される可動金具６は枢着軸５の軸回りに揺動変位することはなく、可動金具６を枢着軸５を中心とした所望の揺動位置に維持することができる。なお、可動金具６を枢着軸５の回りに揺動させる外力としては、作業者の手でかなりの力をかけて可動金具６をカシメ止め作用に抗して回転させる必要がある。
【００１６】
又、本考案によれば、前記野縁受け懸架金具３の固定金具４を、前記天井躯体１の取付面１ａ又は前記取付金具２に当接してこれにねじ止めによって取り付けられる当接片１１に対して、可動金具６に吊りボルト７，７ａをねじ止めするためのねじ止め片１４は、前記固定金具４の当接片１１とは反対向きにＬ字状に折曲して設けられているため、取付面１ａ又は前記取付金具２に当接して該当接片１１に設けたねじ挿通部１５から固定ねじ１９を天井躯体１の取付面１ａ又は取付金具２にねじ止めする際に、固定ねじ１９の下方側は開放されているため、固定ねじ１９のねじ込み操作に支障を来すことなく円滑にねじ込みを行うことができる。
【００１７】
請求項４に係る考案によれば、前記野縁受け懸架金具３の固定金具４は、前記天井躯体１の取付面１ａ又は前記取付金具２に当接してこれにねじ止めによって取り付けられる当接片１１とこれに直角に下向きＬ字状に折曲した重合片１２とからなり、前記野縁受け懸架金具３の可動金具６は、前記固定金具４の重合片１２に重合される被重合片１３と、被重合片１３の下端部から前記固定金具４の当接片１１と同じ向きにＬ字状に折曲した吊りボルト７，７ａねじ止め用のねじ止め片１４とからなり、その構成部材が主に断面Ｌ字状の固定金具４と同じく断面Ｌ字状の可動金具６と両者を枢支連結する枢着軸５との３部材からなるに過ぎず、しかも固定金具４と可動金具６とは断面Ｌ字状に曲げ加工によって形成することができるため、極めて安価に製作することができる。
【００１８】
又、本考案によれば、前記固定金具４の重合片１２と、これに重合される前記可動金具６の被重合片１３とは両者を貫通する枢着軸５によってカシメ止めされるが、外力を負荷することによってカシメ止め作用に抗して該枢着軸５を中心に可動金具６が揺動可能な程度にカシメ止めされるようになっているため、外力を可動金具６に負荷しないかぎり、固定金具４に枢着軸５に枢着される可動金具６は枢着軸５の軸回りに揺動変位することはなく、可動金具６を枢着軸５を中心とした所望の揺動位置に堅固に維持することができる。なお、可動金具６を枢着軸５の回りに揺動させる外力としては、作業者の手でかなりの力をかけて可動金具６をカシメ止め作用に抗して回転させる必要がある。
【００１９】
又、本考案によれば、前記野縁受け懸架金具３の固定金具４を、前記天井躯体１の取付面１ａ又は前記取付金具２に当接してこれにねじ止めによって取り付けられる当接片１１に対して、可動金具６に吊りボルト７，７ａをねじ止めするためのねじ止め片１４は、前記固定金具４の当接片１１とは同じ向きにＬ字状に折曲して該当接片１１に上下に対抗するように設けられているため、取付面１ａ又は前記取付金具２に当接して該当接片１１に設けたねじ挿通部１５から天井躯体１の取付面１ａ又は取付金具２にねじ込まれる固定ねじ１９と可動金具６のねじ止め片１４にねじ込まれる吊りボルト７，７ａとは上下に略同心状に配置されることになり、固定金具４から天井躯体１の取付面１ａ又は取付金具２にねじ込まれる固定金具４が、重量のある吊りボルト７，７ａによる偏荷重を受けることなく安定して吊りボルト７，７ａは野縁受け懸架金具３に支持される。
【００２０】
なお、天井躯体１の取付面１ａ又は取付金具２に固定金具４の当接片１１を当接して固定ねじ１９をねじ込む際に、固定ねじ１９が長尺な場合には、当接片１１に上下に対抗する可動金具６のねじ止め片１４に長尺な固定ねじ１９が衝接してねじ込み作業が困難であれば、可動金具６を固定金具４に対して左右揺動位置ｂ，ｃに揺動変位させることによって固定ねじ１９の下方側は開放されているため、固定ねじ１９のねじ込み操作に支障を来すことなく円滑にねじ込みを行うことができる。
【００２１】
請求項５に係る野縁受け懸架装置は、前記野縁受け懸架用の吊りボルトは、その下端部が振れ止め用筋交い１７に固着される短尺な吊りボルト７からなるため、短尺な吊りボルト７にその上端部が固着される振れ止め用筋交い１７は、その下端部が野縁受けＵに固定されて、極めて良好な振れ止め作用を発揮させることができる。
【００２２】
請求項６に係る考案によれば、前記野縁受け懸架用の吊りボルトは、その下端部が野縁受けＵに固着される長尺な吊りボルト７ａからなるため、該野縁受け懸架金具３によって野縁受けＵを安定して吊持することができる。
【００２３】
請求項７に係る野縁受け懸架装置は、天井躯体１の取付面１ａに取付金具２を介して野縁受け懸架金具３が取り付けられる該取付金具２は、天井躯体１を形成するＨ形鋼からなる鉄骨製屋根骨枠１８のフランジ部１８ａに噛み込みねじ止めされる咬合形取付金具２からなり、該咬合形取付金具２に野縁受け懸架金具３がねじ止めされるようになっているため、天井躯体１を形成するＨ形鋼からなる鉄骨製屋根骨枠１８を利用して強力に野縁受け懸架金具３が取り付けられ、該野縁受け懸架金具３に吊持される吊りボルト７，７ａは強力に且つ安定して鉄骨製屋根骨枠１８に支持されることになる。
【図面の簡単な説明】
【００２４】
【図１】本考案に係る野縁受け懸架装置に用いられる野縁受け懸架金具を示し、（ａ）は斜視図、（ｂ）は側面図、（ｃ）は作用説明図である。
【図２】（ａ）は野縁受け懸架金具の使用状態を示す側面図、（ｂ）は野縁受け懸架金具の他の使用状態を示す側面図である。
【図３】本考案に係る野縁受け懸架装置に用いられる他の実施形態の野縁受け懸架金具を示し、（ａ）は斜視図、（ｂ）は側面図、（ｃ）は作用説明図である。
【図４】（ａ）は他の実施形態の野縁受け懸架金具の使用状態を示す側面図、（ｂ）は同野縁受け懸架金具の他の使用状態を示す側面図である。
【図５】本考案に係る野縁受け懸架金具が取り付けられる天井躯体がコンクリートスラブ製天井躯体の場合の使用例を示す側面図である。
【図６】本考案に係る野縁受け懸架金具が取り付けられる天井躯体が金属製天井躯体（Ｃ形鋼からなる金属製母屋）の場合の使用例を示す側面図である。
【図７】本考案に係る野縁受け懸架金具が取り付けられる天井躯体が木製天井躯体（木製母屋）からなる場合の使用例を示す側面図である。
【図８】本考案に係る野縁受け懸架金具が取り付けられる天井躯体が取付金物を介して取り付けられる金属製天井躯体（鉄骨製屋根骨枠であるＨ形鋼）からなる場合の使用例を示す側面図である。
【図９】本考案に係る野縁受け懸架金具が鉄骨製屋根骨枠であるＨ形鋼の長手方向適当間隔に取り付けられる金属製天井躯体（Ｃ形鋼からなる金属製母屋）に天井吊りボルトである短尺吊りボルトによって天井材の振れ止め用筋交いが取り付けられた状態を示す説明図である。
【図１０】本考案に係る野縁受け懸架金具が鉄骨製屋根骨枠であるＨ形鋼の長手方向適当間隔に取り付けられる金属製天井躯体（Ｃ形鋼からなる金属製母屋）に天井吊りボルトである長尺吊りボルトによって野縁受けが取り付けられた状態を示す説明図である。
【図１１】本考案に係る野縁受け懸架金具が鉄骨製屋根骨枠であるＨ形鋼の長手方向適当間隔に取り付けられる木製天井躯体（木製母屋）に天井吊りボルトである長尺吊りボルトによって野縁受けが取り付けられた状態を示す説明図である。
【考案を実施するための形態】
【００２５】
以下に本考案の好適な実施形態を図面に基づいて説明すると、図１は、本考案に係る一実施形態の野縁受け懸架金具３を示すもので、該懸架金具３は、図５〜図７にその一例が示されるように、天井躯体１の取付面１ａに取り付けられる固定金具４、又は図８にその一例が示されるように天井躯体１の取付面１ａに取付金具２を介して取り付けられる固定金具４と、該固定金具４に枢着軸５によってカシメ止めされる可動金具６とからなる。更に詳しくは、図１の（ａ）及び（ｂ）に示されるように、固定金具４は、天井躯体１の取付面１ａ又は前記取付金具２（図８）に当接してこれにねじ止めによって取り付けられる当接片１１とこれに直角に下向きＬ字状に折曲した重合片１２とからなり、前記野縁受け懸架金具３の可動金具６は、前記固定金具４の重合片１２に重合される被重合片１３と、被重合片１３の下端部から前記固定金具４の当接片１１とは反対向きにＬ字状に折曲して後述の吊りボルト７，７ａをねじ止めするためのねじ止め片１４とからなる。なお、夫々のＬ字状折曲部には補強リブ１８が形成されている。
【００２６】
前記固定金具４の重合片１２と、これに重合される前記可動金具６の被重合片１３とは両者を貫通する枢着軸５によってカシメ止めされるが、外力を負荷することによってカシメ止め作用に抗して該枢着軸５を中心に可動金具６が揺動可能な程度にカシメ止めされてなる。すなわち、図１の（ｃ）に示すように、可動金具６は、外力を負荷することによってカシメ止め作用に抗して該枢着軸５を中心に該枢着軸５に直交して垂下する垂直位置ａと該垂直位置ａに対して該垂直面内を左右に揺動範囲θ、例えば９０°の範囲で揺動変位する左右揺動位置ｂ，ｃとに揺動変位するが、カシメ止め作用に抗する外力を負荷しないかぎり、その垂直位置ａ、又は左右揺動位置ｂ，ｃから変位移動することはない。
【００２７】
そして、図２の（ａ）又は（ｂ）に示すように、固定金具４の当接片１１には、ねじ挿通部１５が設けられ、これに固定ねじ１９が挿通され、図５以下の図面で説明するように天井躯体１にねじ止めされる。
【００２８】
この固定ねじ１９は、図５に示すように、天井躯体１の一例であるコンクリートスラブ製天井躯体８に予め埋設してあるインサートナット１９ａにねじ込むアンカーボルト１９ｂからなるが、或いはインサートナットを介さないで直接にコンクリートスラブ製天井躯体８に打ち込むためのコンクリートねじからなる。又、図６に示すように、金属製天井躯体９であるＣ形鋼からなる金属製母屋にねじ込むためのタップねじ１９ｃや、或いは図７に示すように、木製天井躯体１０である木製母屋にねじ込むための木ねじ１９ｄや、或いは図８に示すように、屋根材Ｌに平行して水平に又は傾斜方向に長く延びる鉄骨製屋根骨枠２０（図９参照）であるＨ形鋼のフランジ部２０ａに咬合式に取り付けられる咬合形取付金具２にねじ止めされるタップねじ１９ｃからなる。
【００２９】
そして、図１の（ａ）及び（ｂ）に示すように、ねじ止め片１４は、前記固定金具４の当接片１１とは反対向きにＬ字状に折曲して設けられているため、取付面１ａ又は前記取付金具２に当接して該当接片１１に設けたねじ挿通部１５から固定ねじ１９を天井躯体１の取付面１ａ又は取付金具２にねじ止めする際に、固定ねじ１９の下方側は開放されているため、固定ねじ１９のねじ込み操作に支障を来すことなく円滑にねじ込みを行うことができるようになっている。
【００３０】
そして、可動金具６のねじ止め片１４にはねじ止め部１６であるタップねじ孔１６ａ（図２の（ａ））又はねじ止め片１４を挟んで設けたダブルナット１６ｂ（図２の（ｂ））が形成され、これに野縁受け懸架用の吊りボルト７，７ａがねじ止めされる。なお、野縁受け懸架用の吊りボルト７，７ａは、後述のように、短尺ボルト７又は長尺ボルト７ａとからなる。ダブルナット１６ｂを用いる場合にはねじ止め片１４にタップねじ孔１６ａを加工形成する必要がないから、それだけ加工工程を省略することができる。
【００３１】
図３は、野縁受け懸架金具３の他の実施形態を示すもので、この実施形態にあっては、固定金具４は、天井躯体１の取付面１ａ又は前記取付金具２（図８）に当接してこれにねじ止めによって取り付けられる当接片１１とこれに直角に下向きＬ字状に折曲した重合片１２とからなる点は、図１に示す実施形態と同じであるが、本実施形態にあっては、前記野縁受け懸架金具３の可動金具６は、前記固定金具４の重合片１２に重合される被重合片１３と、被重合片１３の下端部から前記固定金具４の当接片１１と同じ向きにＬ字状に折曲した吊りボルト７，７ａねじ止め用のねじ止め片１４とからなる。
【００３２】
そして、図１に示す実施形態と同じように、前記固定金具４の重合片１２と、これに重合される前記可動金具６の被重合片１３とは両者を貫通する枢着軸５によってカシメ止めされるが、外力を負荷することによってカシメ止め作用に抗して該枢着軸５を中心に可動金具６が揺動可能な程度にカシメ止めされてなる。すなわち、図３の（ｃ）に示すように、可動金具６は、外力を負荷することによってカシメ止め作用に抗して該枢着軸５を中心に該枢着軸５に直交して垂下する垂直位置ａと該垂直位置ａに対して該垂直面内を左右に揺動範囲θ、例えば９０°の範囲で揺動変位する左右揺動位置ｂ，ｃとに揺動変位するが、カシメ止め作用に抗する外力を負荷しないかぎり、その垂直位置ａ、又は左右揺動位置ｂ，ｃから変位移動することはない。
【００３３】
そして、図４の（ａ）又は（ｂ）に示すように、固定金具４の当接片１１には、ねじ挿通部１５が設けられ、これに固定ねじ１９が挿通され、図５以下の図面で説明するように天井躯体１にねじ止めされる。
【００３４】
この固定ねじ１９は、前記実施形態と同じように、図５に示すようにコンクリートスラブ製天井躯体８に予め埋設してあるインサートナット１９ａにねじ込むアンカーボルト１９ｂからなるが、或いはインサートナットを介さないで直接にコンクリートスラブ製天井躯体８に打ち込むためのコンクリートねじからなる。又、図６に示すように、金属製天井躯体９であるＣ形鋼からなる金属製母屋にねじ込むたためのタップねじ１９ｃや、或いは図７に示すように、木製天井躯体１０である木製母屋にねじ込むための木ねじ１９ｄや、或いは図８に示すように、屋根材Ｌと平行に水平に又は傾斜方向に長く延びる鉄骨製屋根骨枠２０（図９参照）であるＨ形鋼のフランジ部２０ａに咬合式に取り付けられる咬合形取付金具２にねじ止めされるタップねじ１９ｃからなる。
【００３５】
そして、該固定ねじ１９は、図５〜図８と同じように種々の天井躯体１にねじ込まれた点は、図１に示す実施形態と同じであるが、前述のように、可動金具６に吊りボルト７，７ａをねじ止めするためのねじ止め片１４は、前記固定金具４の当接片１１とは同じ向きにＬ字状に折曲して該当接片１１に上下に対抗するように設けられているため、取付面１ａ又は前記取付金具２に当接して該当接片１１に設けたねじ挿通部１５から天井躯体１の取付面１ａ又は取付金具２にねじ込まれる固定ねじ１９と可動金具６のねじ止め片１４にねじ込まれる吊りボルト７，７ａとは上下に略同心状に配置されることになり、固定金具４から天井躯体１の取付面１ａ又は取付金具２にねじ込まれる固定金具４が、重量のある吊りボルト７，７ａによる偏荷重を受けることなく安定して吊りボルト７，７ａは野縁受け懸架金具３に懸架される。
【００３６】
なお、天井躯体１の取付面１ａ又は取付金具２に固定金具４の当接片１１を介して固定ねじ１９をねじ込む際に、固定ねじ１９が長尺な場合には、当接片１１に上下に対抗する可動金具６のねじ止め片１４に長尺な固定ねじ１９が衝接してねじ込み作業が困難であれば、可動金具６を固定金具４に対して左右揺動位置ｂ，ｃに揺動変位させることによって固定ねじ１９の下方側は開放されているため、固定ねじ１９のねじ込み操作に支障を来すことなく円滑にねじ込みを行うことができる。
【００３７】
そして、この実施形態にあっても、可動金具６のねじ止め片１４にはねじ止め部１６であるタップねじ孔１６ａが形成され、これに野縁受け懸架用の吊りボルト７，７ａがねじ止めされる。なお、野縁受け懸架用の吊りボルト７，７ａは、後述のように、短尺ボルト７又は長尺ボルト７ａからなる。当該ねじ止め部１６は、図４の（ｂ）に示すように、ねじ止め片１４を挟んで設けたダブルナット１６ｂからなるものでもよい。このダブルナット１６ｂを用いる場合にはねじ止め片１４にタップねじ孔１６ａを加工形成する必要がないから、それだけ加工工程を省略することができる点は前記実施形態と同じである。
【００３８】
図１ないし図３に示す実施形態の何れもが、図５〜図８に示すように、天井躯体１の取付面１ａ又は取付金具２にねじ止めによって当接して固着される固定金具４と、枢着軸５によって該枢着軸５に直交して垂下する垂直位置ａ、又は左右揺動位置ｂ，ｃに揺動可能に固定金具４にカシメ止めされる可動金具６とからなり、図５〜図８にあっては、可動金具６は、左方向の揺動位置にカシメ止めされ、これに野縁受け懸架用の吊りボルト７，７ａがねじ止めされている状態を示している。
【００３９】
野縁受け懸架用の吊りボルト７，７ａは、図９に示すように振れ止め用筋交い１７に連結されるための短尺吊りボルト７、或いは図１０又は図１１に示すように野縁受けＵを吊持するための長尺吊りボルト７ａからなる。
【００４０】
図９に示す実施形態にあっては、屋根下地や屋根ボード等からなり図示の水平状態から種々の勾配角度の屋根材Ｌの勾配に合わせて設けたＨ形鋼からなる鉄骨製屋根骨枠２０にその長手方向適当間隔に取り付けたＣ形鋼製母屋からなる金属製天井躯体９に、図６にも示すように野縁受け懸架金具３の固定金具４をその取付面１ａに固定ねじ１９（タップねじ１９ｃ）によってねじ止めし、該固定金具４に枢着軸５にカシメ止めされる可動金具６を所要の揺動位置にカシメ止め作用に抗する外力を負荷させて揺動移動させ、この可動金具６のねじ止め部１６に短尺吊りボルト７をねじ込むことになるが、短尺吊りボルト７は、矢示に拡大して示すような羽子板７ａを一体に形成した羽子板ボルト又は別体のＬ字状の羽子板７ｂを短尺吊りボルト７にねじ込んだ羽子板ボルトに適宜形成され、羽子板７ａ，７ｂを予めチャンネル鋼板からなる振れ止め用筋交い１７にビス１７ａによって連結しておき、この振れ止め用筋交い１７付きの短尺吊りボルト７を可動金具６のねじ止め部１６にねじ止めし、該振れ止め用筋交い１７の下端部を野縁受けＵにビスなどの固定具２２によって固着し、野縁Ｎは野縁受けＵにクリップＣを介して交叉状に取り付けられ、該野縁Ｎに天井ボード等の天井材Ｔがビス又は接着材によって取り付けられることによって、外部からの衝撃や振動を受けても、振れ止め用筋交い１７による補強作用により、野縁受けＵは動揺することなく吊持され、野縁受けＵに野縁Ｎを介して取り付けられる天井材Ｔの脱落を防止することができる。
【００４１】
図１０に示す実施形態にあっては、屋根材Ｌの勾配に合わせて長手方向に傾斜して設けた鉄骨製屋根骨枠であるＨ形鋼２０の上面に支持される鉄骨製天井躯体１であるＣ形鋼からなる金属製母屋９に、固定金具４と可動金具６とからなる野縁受け懸架金具３が固定ねじ１９（タップねじ１９ｃ）によって固着される。
【００４２】
そして、鉄骨製天井躯体１であるＣ形鋼９にタップねじ１９ｃによって固定されてなる固定金具４に対して、枢着軸５を中心に回動可能にカシメ止めされた可動金具６を、適当な作業工具を用いてカシメ止め力に抗する外力を負荷させて、可動金具６を矢示拡大して示すように枢着軸５に直交する垂直面内を垂下状態に位置決めし、可動金具６のねじ止め片１４のねじ止め部１６であるタップねじ孔１６ａ又はダブルナット１６ｂによって野縁受け懸架用の長尺吊りボルト７ａを垂直状態に吊り下げ、該長尺吊りボルト７の下端部にハンガーＨを介して野縁受けＵを取り付け、該野縁受けＵにクリップＣを介して野縁Ｎを交叉状態に係止し、該野縁Ｎに天井ボード等の天井材Ｔをビスや接着剤によって水平に取り付けるようにしたものである。
【００４３】
図１１に示す実施形態にあっては、屋根材Ｌの勾配に合わせて長手方向に傾斜して設けた鉄骨製屋根骨枠であるＨ形鋼２０の上面に支持される角材からなる木製天井躯体１である木製母屋１０に、固定金具４と可動金具６とからなる野縁受け懸架金具３が固定ねじ１９（木ねじ１９ｄ）によって固着される。
【００４４】
そして、木製天井躯体１０である角材からなる木製母屋１０に固定ねじ１９（木ねじ１９ｄ）によって固定された固定金具４に対して、枢着軸５を中心に回動可能にカシメ止めされた可動金具６を、適当な作業工具を用いてカシメ止め力に抗する外力を負荷させて、可動金具６を図示のように枢着軸５に直交する垂直面内を垂下状態に位置決めし、可動金具６のねじ止め片１４のねじ止め部１６に矢示に拡大して示すようにタップねじ孔１６ａ又はダブルナット１６ｂによって野縁受け懸架用の長尺吊りボルト７ａを垂直状態に吊り下げ、該長尺吊りボルト７の下端部にハンガーＨを介して野縁受けＵを取り付け、該野縁受けＵにクリップＣを介して野縁Ｎを交叉状態に係止し、該野縁Ｎに天井ボード等の天井材Ｔを取り付けることによって、屋根材Ｌ及びこれに平行に取り付けられる鉄骨製屋根骨枠２０の傾斜角度如何によらず、天井材Ｔを水平に取り付けることができるようにしたものである。
【００４５】
このように、本考案によれば、固定金具４とこれに枢着軸５によってカシメ止めされる可動金具６とからなり、固定金具４に対して可動金具６がその枢着軸５を中心に垂下状態から左右の揺動状態の位置に揺動可能に形成され、可動金具６に取り付けられる野縁受け懸架用の吊りボルト７，７ａが振れ止め用筋交い１７を連結する短尺吊りボルト７又は野縁受けＵを吊持する長尺吊りボルト７ａとの何れかからなることによって、野縁受け懸架金具３が取り付けられる天井躯体１が水平状態であっても傾斜状態であっても、振れ止め用筋交い１７又は天井材Ｔを容易に取り付けることができる。
【符号の説明】
【００４６】
１      天井躯体
１ａ    取付面
Ｕ      野縁受け
２      取付金具
３      野縁受け懸架金具
４      固定金具
５      枢着軸
６      可動金具
７      野縁受け懸架用の吊りボルト７（短尺吊りボルト）
７ａ    野縁受け懸架用の吊りボルト７ａ（長尺吊りボルト）
８      コンクリートスラブ製天井躯体
９      金属製天井躯体
１０    木製天井躯体
１１    当接片
１２    重合片
１３    被重合片
１４    ねじ止め片
１５    ねじ挿通部
１６    ねじ止め部
１７    振れ止め用筋交い
１９    固定ねじ
２０    鉄骨製屋根骨枠
２０ａ  フランジ部
【図１】
0003211064.tif 000003
【図２】
0003211064.tif 000004
【図３】
0003211064.tif 000005
【図４】
0003211064.tif 000006
【図５】
0003211064.tif 000007
【図６】
0003211064.tif 000008
【図７】
0003211064.tif 000009
【図８】
0003211064.tif 000010
【図９】
0003211064.tif 000011
【図１０】
0003211064.tif 000012
【図１１】
0003211064.tif 000013